【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
ピアノリッドの支持装置であって、
取付ブラケットに回動式に取り付けられた第１端部と、前記ピアノリッドの下側と接触する第２端部とを有する１本のアームと、を含んでおり、
前記リッドが閉位置にあるとき前記アームは、前記ピアノリッドの下側に対して略平行になり、
前記リッドが閉位置から開位置へと回動するとき、前記アームの前記第２端部は、前記ピアノリッドの下側を移動し、
前記取付ブラケットは、ピアノの後方フレームに取り付けられており、
本支持装置は、前記ピアノリッドが移動するとき、その重量を部分的に支持するように前記アームに回動式に取り付けられた空気圧シリンダをさらに含んでいることを特徴とするピアノリッドの支持装置。
【請求項２】
取付ブラケットは、該ブラケット下方に延びている脚部をさらに含んでおり、
該ブラケットは、伝響板下方で後方フレームに取り付けられていることを特徴とする請求項１記載の装置。
【請求項３】
複数の空気圧シリンダを有することを特徴とする請求項１または２記載の装置。
【請求項４】
取付ブラケットの上部は、ピアノリッドを後方フレームに連結しているヒンジと略同一平面になることを特徴とする請求項１から３のいずれかに記載の装置。
【請求項５】
ピアノリッドを後方フレームに連結しているヒンジのジョイントは、取付ブラケットとは反対側で前記後方フレームに配置されていることを特徴とする請求項１から４のいずれかに記載の装置。
【請求項６】
アームの第２端部とリッドとの間の角度は、前記リッドが閉位置から開位置に回動するときに約３５°に増加することを特徴とする請求項１から５のいずれかに記載の装置。
【請求項７】
アームの第２端部とリッドとの間の角度は、前記リッドが閉位置から開位置に回動するときに約３０°に増加することを特徴とする請求項１から５のいずれかに記載の装置。
【請求項８】
ピアノリッドの支持装置であって、
前記ピアノリッドを支持するためのアーム手段を含んでおり、
前記アーム手段は、第１端部と第２端部とを有しており、
前記アーム手段は、前記リッドが閉位置にあるときに前記ピアノリッドに略平行であり、
前記リッドが閉位置から開位置に回動するとき、前記アーム手段の第２端部は、前記ピアノリッドの下側を移動し、
本支持装置は、前記アーム手段の前記第１端部をピアノに連結するための連結手段をさらに含んでおり、
前記連結手段は、ピアノフレームに取り付けられており、
前記連結手段の一部は、前記ピアノリッドをピアノの後方フレームに連結しているヒンジと略同一平面にあり、
前記ヒンジのジョイントは、前記連結手段とは反対側で前記後方フレームに配置されており、
本支持装置は、ピアノリッドを開ける際にユーザを補助して前記ピアノの閉動作を緩衝する手段とをさらに含んでおり、
前記ピアノリッドを開ける際にユーザを補助して前記ピアノの閉動作を緩衝する手段は、空気圧シリンダを含んでおり、
本支持装置は、前記アームを、前記ピアノを開ける際にユーザを補助して前記ピアノの閉動作を緩衝する手段に連結する手段をさらに含んでいることを特徴とするピアノリッドの支持装置。
【請求項９】
連結手段は、取付ブラケットを含んでいることを特徴とする請求項６記載の装置。
【請求項１０】
ピアノを開ける際にユーザを補助してピアノの閉動作を緩衝する手段は、複数の空気圧シリンダを含んでいることを特徴とする請求項８または９記載の装置。
【請求項１１】
リッドが閉位置から開位置に回動するとき、アームの第２端部と前記リッドとの間の角度が約３５°に増加することを特徴とする請求項８から１０のいずれかに記載の装置。
【請求項１２】
リッドが閉位置から開位置に回動するとき、アームの第２端部と前記リッドとの間の角度は、約３０°に増加することを特徴とする請求項８から１０のいずれかに記載の装置。
【請求項１３】
ピアノリッドの支持装置であって、
ピアノリッドの下側に取り付けられており、陥没開口部を有する第１端部と第２端部とを有する１本のアームと、
前記アームに回動式に取り付けられた空気圧シリンダと、
ピアノの後方フレームに取り付けられた取付ブラケットと、を含んでおり、
前記陥没開口部と前記取付ブラケットの上方部との相互作用がヒンジを創出し、
本支持装置は、前記アームの前記陥没開口部に合う大きさのピンをさらに含んでおり、
前記ピンは、その内部表面の周囲の一部に欠落部を有しており、
前記ピンは、前記ヒンジのジョイントを形成しており、
前記陥没開口部は、前記ピンの周囲の１８０°を超えて延びており、
前記ピアノリッドを略９０°以上回動させると前記ピアノから前記リッドが外れることを特徴とするピアノリッドの支持装置。
【請求項１４】
取付ブラケットは、ガイドカップを含んでいることを特徴とする請求項１３記載の装置。
【請求項１５】
取付ブラケットは、該ブラケット下方に延びる脚部をさらに含んでおり、伝響板の下方で後方フレームに取り付けられていることを特徴とする請求項１３または１４記載の装置。
【請求項１６】
ピアノと共に使用する装置であって、
該ピアノはピアノフレームの上部内側を有しており、
本装置は、取付ブラケットを含んでおり、
該取付ブラケットは、
前記ピアノフレームの前記上部内側と平行に延びている第１部と、
前記ピアノフレーム外側で前記第１部から下方に延びている第２部と、
前記ピアノフレーム内側で前記第１部から下方に延びている第３部とを有しており、
前記取付ブラケットは、前記ピアノフレームの前記上部内側と適合し、
本装置は、第１端部と第２端部とを有するアームをさらに含んでおり、
前記第２端部は、ピアノリッドの下側と接触しており、
前記第１端部は、前記取付ブラケットに回動式に取り付けられており、
前記リッドが閉位置にあるときに前記アームは前記ピアノリッドの下側と略平行になり、
前記リッドが閉位置から開位置に移動すると前記アームの第２端部は、前記ピアノリッドの下側を移動し、
本装置は、前記アームに回動式に取り付けられた空気圧シリンダをさらに含んでいることを特徴とするピアノと共に使用する装置。
【請求項１７】
ピアノリッドを支持する方法であって、
取付ブラケットをピアノフレームの上部内側の上に下降させるステップを含んでおり、
前記取付ブラケットは、
前記ピアノフレームの前記上部内側と平行に延びている第１部と、
前記第１部から下側に延びている第２部と、
前記第１部から下側に延びている第３部とを有しており、
前記第１部は、前記ピアノフレームの前記上部内側の上部に存在しており、
前記第２部は、前記ピアノフレームの前記上部内側の外側に存在しており、
本方法は、
アームの第１端部を前記取付ブラケットの前記第１部に回動式に取り付けるステップと、
前記アームに空気圧シリンダを回動式に取り付けるステップと、
前記アームの第２端部を前記ピアノリッドに接触させて配置するステップとをさらに含んでいることを特徴とする方法。
【請求項１８】
ピアノリッドを少なくとも３０°に開けるステップをさらに含んでいることを特徴とする請求項１７記載の方法。
【請求項１９】
ユーザがその手を離すとピアノリッドは、少なくとも３０°開いた状態で留まることを特徴とする請求項１８記載の方法。
【請求項２０】
ユーザは、１/２ニュートン力でピアノリッドを開けることができることを特徴とする請求項１７記載の方法。
【手続補正２】
【補正対象書類名】明細書
【補正対象項目名】全文
【補正方法】変更
【補正の内容】
【発明の詳細な説明】
【発明の名称】ピアノ蓋の支持装置
【技術分野】
【０００１】
本発明は、ピアノのリッド（蓋）の持ち上げおよび支持においてユーザを補助するため
の機構並びに方法に関する。特に本発明は、ピアノリッドの開閉時にユーザを補助するた
めの少なくとも１体の空気圧シリンダを使用する。
【０００２】
（関連出願）
本出願は、米国仮特許出願６１/０２１，２６３号（２００８年１月１５日出願）の優
先権を主張する。
【背景技術】
【０００３】
ピアノリッド（蓋）を開けてその状態を保つことがしばしば必要である。ピアノリッド
を開けてその重量を暫く支持するためにヒンジとブレースが使用されている。
【発明の概要】
【発明が解決しようとする課題】
【０００４】
ピアノリッドの開動作、開いた状態の保持および最終的にそれを閉じるにはいくつかの
問題が存在する。ピアノリッドは、非常に重く、持ち上げが困難である。リッドが持ち上
げられるとブレースの端部を受領機構に配置させることが難しい。多くのブレースは、容
易に外れ、リッドを落下させることがある。重いリッドが閉じられると、それは、容易に
利用者の力に打ち克って、急に落下し、ユーザまたはピアノを傷つける可能性がある。
【０００５】
前述の関連技術例およびこれに関する限定は、説明を目的としており、これらに限定す
るものではない。関連技術のその他の限定は、明細書を読んで図面を見れば専門家にはす
ぐに理解できるであろう。
【課題を解決するための手段】
【０００６】
本発明の１特徴は、ピアノリッドの開動作においてユーザを補助することである。
【０００７】
本発明の別な特徴は、ピアノリッドの閉動作を緩衝することである。
【０００８】
後述する本発明の実施例および特徴は、代表的なシステム、工具および方法に関するも
のであり、説明を目的としており、本発明の範囲を限定しない。様々な実施態様では、前
述の１以上の問題点が減少または除去され、その他の実施態様はその他の改良に関する。
【０００９】
１実施態様は、ピアノフレームに取り付けられた空気圧シリンダを開示している。１本
のアームがピアノリッドに回動式に取り付けられている。空気圧シリンダとそのアームは
、連結されている。開示している実施態様は、１本のアームと１体の空気圧シリンダを有
する。さらに多い本数のアームや空気圧シリンダも利用可能である。空気圧シリンダとア
ームは、ピアノに後設置できる。
【００１０】
別な実施態様は、ピアノフレームに取り付けられた内側ブレースを開示している。１本
のアームがピアノリッドに着脱式に取り付けられている。ブレースは、それに着脱式に取
り付けられた２体の空気圧シリンダを有する。ブレースとシリンダは、アームに回動式に
取り付けられている。さらに多い数のシリンダも利用可能である。空気圧シリンダとアー
ムは、ピアノに後設置できる。
【００１１】
さらに別な実施態様は、ピアノリッドに着脱式に取り付けられた２本のアームを開示し
ている。それぞれのアームは、空気圧シリンダに取り付けられている。１体のガイドカッ
プが各アームと空気圧シリンダ下方にてピアノフレームに着脱式に取り付けられている。
ピアノリッドが閉じられると、空気圧シリンダのベース部がガイドカップと係合する。さ
らに多くのアームと空気圧シリンダも利用可能である。空気圧シリンダは、ピアノフレー
ムに取り付けられていないため、工具を使用せずにピアノリッドを完全に取り外すことが
できる。
【００１２】
別な実施態様は、ハウジングに着脱式に取り付けられた１本のアームを開示している。
ハウジングは取付ブラケットに着脱式に取り付けられている。そのアームは、対になって
いる空気圧シリンダに取り付けられている。ガイドカップは、ハウジング内で各アームと
空気圧シリンダ下方にて取り付けられている。ピアノリッドが閉じられると空気圧シリン
ダのベース部がガイドカップと係合する。取付ブラケットは、ピアノを改造せずにピアノ
の後方フレームの上方に配置することもできる。
【００１３】
前述の例示的特徴および実施態様に追加して、さらに別な特徴および実施態様も、本明
細書の一部を成す添付の図面を参考にすることで明解になるであろう。同じ参照符号は、
図面を通して対応する部分を指す。
【図面の簡単な説明】
【００１４】
【図１】図１は、ピアノリッドの重量を支持するための機構の１実施例を示す斜視図である。
【図２】図２は、ピアノリッドの重量を支持するための機構の第２実施例を示す斜視図である。
【図３】図３は、図２に示す実施例の斜視図である。
【図４】図４は、ピアノリッドの重量を支持するための機構の第３実施例を示す断面図である。
【図５】図５は、図４に示す実施例と類似する実施例を図示しており、リッドが部分的に開いた状態を示す。
【図６】図６は、図４に示す実施例と類似する実施例を示しており、リッドは、９０°以上持ち上げられており、ピアノから離れている。
【図７】図７は、ピアノの重量を支持するための機構の第４実施例を示す断面図である。
【図８】図８は、図７に示す実施例の斜視図である。
【発明を実施するための形態】
【００１５】
本発明の開示実施例について詳細に説明する前に、本発明は、他の実施態様でも実施可
能であるため、本発明の利用は、特定の実施例の細部に限定されないことが理解されるべ
きである。代表的実施態様は、図面の参考図で説明している。ここに開示されている実施
態様や図は、限定というよりも説明と解釈すべきである。さらにここで使用している用語
は、説明を目的としており、本発明を限定しない。
【実施例】
【００１６】
図１は、ピアノ１００を図示しており、ピアノ１００は、リッド支持部１０００を含ん
でおり、リッド１０２の下側に取り付けられた１本のアーム１０１を有している。
【００１７】
リッド１０２は、ヒンジ１１４によってピアノ１００の後方フレーム１０４に取り付け
られている。リッド１０２は、開位置で示されている。
【００１８】
アーム１０１は、約４０インチ（約１０２センチ）、幅約１インチ（約２．５ｃｍ）で
高さ約１インチ（約２．５ｃｍ）である。あるいはアーム１０１は、リッド１０２の重心
を表わす部位Ｐまで延びる。図示の実施例では、アーム１０１は、１６ゲージの軟鋼であ
る。１６ゲージの軟鋼を例示しているが、例えば金属、プラスチック、セラミック等を含
む類似する強度および剛性の任意の材料を利用でき、これらに限られない。
【００１９】
２つのホイール（輪）１１６ａと１１６ｂは、アーム１０１の第２端部の内部で回転す
る。図示の実施例では、ホイール１１６ａと１１６ｂは、直径が約１５ミリでナイロン製
である。ナイロン製のホイールを例示しているが、類似の強度および剛性を有する任意の
材料で製造したホイールを使用することもできる。ホイール１１６ａと１１６ｂは、アー
ム１０１の第２端部から約１ミリから２ミリ突き出ており、リッド１０２と接触する。ア
ーム１０１は、リッド１０２が閉位置にあるとき、リッド１０２の下側と略平行になる。
リッド１０２が閉位置から開位置に回動すると、アーム１０１の第２端部は、ピアノリッ
ド１０２の下側を移動し、アーム１０１の第２端部とピアノリッド１０２との間の角度は
、約３０°から４０°の範囲に増加する。
【００２０】
アーム１０１の第１端部は、回動点１１５にて取付ブラケット１１２に連結されている
。取付ブラケット１１２は、伝響板１１１の穴部１１０を通って下方に延びている脚部１
１３を有する。図示の実施例では、取付ブラケット１１２は、１インチ×１インチアング
ル軟鋼である。１インチ×１インチアングル軟鋼が例示されているが、例えば金属、プラ
スチック、セラミック等を含む類似する強度および剛性の任意の材料が利用でき、これら
に限られない。
【００２１】
穴部１１０の直径は、約２インチ（約５ｃｍ）である。取付ブラケット１１２は、後方
フレーム１０４の上部内側１０３に取り付けられている。取付ブラケット１１２の上部は
、ヒンジ１１４と略同一平面である。ヒンジ１１４のジョイントは、取付ブラケット１１
２とは、反対側で後方フレーム１０４に配置されている。
【００２２】
調整式回動コネクタ１０５は、式Ｗ＝（Ｘ・Ｆ）/Ｌ（Ｗ＝持ち上げ重量、Ｘ＝回動点
１１９の中央から回動点１１５の中央までの距離、Ｌ＝ホイール１１６ａと１１６ｂから
回動点１１５までの距離、Ｆ＝空気圧シリンダ１０７がリッド１０２の重量を持ち上げる
ために必要とする力）によって定められた距離にてアーム１０１に着脱式に取り付けられ
ている。
【００２３】
ボルト１２０は、回動コネクタ１０５を調整するようにスロット１１７内をスライドで
きる。空気圧シリンダ１０７のピストンアーム１０６は、回動点１１９にて調整式回動コ
ネクタ１０５に着脱式に取り付けられている。空気圧シリンダ１０７の下方部１０８は、
取付ブラケット１１２の脚部１１３に回動式に取り付けられている。脚部１１３は、ピア
ノ１００の後方フレーム１０４の下部内側１０９に連結されている。
【００２４】
図示の実施例の空気圧シリンダ１０７は、約５０ニュートンから約１３００ニュートン
の力を発揮する性能でよい。図示の実施例では、空気圧シリンダ１０７は、７．５インチ
（約１９ｃｍ）の延伸長、１インチ（約２．５ｃｍ）の直径、３/８インチ（約１ｃｍ）
のシリンダロッド、および２インチ（約５．１ｃｍ）のストロークを有し、１０００ニュ
ートンの力を発揮する。図示されたシリンダは、www.easyliftsprings.comで紹介されて
いる。
【００２５】
図２と図３では、第２実施例のリッドサポート２０００、すなわちピアノリッドの重量
を支持する機構を示している。
【００２６】
リッド２０２は、ピアノ１００の後方フレーム２０４にヒンジ２１４によって取り付け
られている。リッド２０２は、開位置で示されている。アーム２０１は、リッド２０２の
下側を回転する。アーム２０１の第１端部は、回動点２１５にてブラケット２１３の後方
部上方２１２に取り付けられている。
【００２７】
ブラケット２１３は、ピアノ１００の後方フレーム２０４の上部内側２０３と伝響板２
１１に取り付けられている。ブラケット２１３の上部は、ヒンジ２１４と略同一平面であ
る。ヒンジ２１４のジョイントは、ブラケット２１３の反対側で後方フレーム２０４に配
置されている。図示の実施例では、ブラケット２１３は、１インチ×１インチの角管で製
造されており、１６ゲージの軟鋼製である。１インチ×１インチの角管、１６ゲージの軟
鋼製のものを例示しているが、例えば金属、プラスチックおよびセラミック等を含んだ類
似する強度や剛性の任意の材料が利用でき、これらに限られない。
【００２８】
アーム２０１は、約４０インチ（約１０２ｃｍ）長、約１インチ（約２．５ｃｍ）幅お
よび約１インチ（約２．５ｃｍ）高である。あるいはアーム２０１は、リッド２０２の重
心まで延びる。図示の実施例では、アーム１０１は、１６ゲージの軟鋼製である。１６ゲ
ージの軟鋼製のものを例示しているが、例えば金属、プラスチックおよびセラミック等を
含んだ類似する強度や剛性の任意の材料が利用でき、これらに限られない。ホイール２１
６は、アーム２０１の第２端部の内部に取り付けられている。
【００２９】
図２に示すように第２同一ホイールがホイール２１６の真後ろに取り付けられている。
図示の実施例では、ホイール２１６は、直径約１５ミリでナイロン製である。ナイロン製
のホイールが図示されているが、類似する強度や剛性の任意の材料のものを利用できる。
ホイール２１６は、アーム２０１の第２端部から約１ミリから約２ミリ突き出ており、リ
ッド２０２と接触している。アーム２０１は、リッド２０２が閉位置にあるときにリッド
２０２の下側と略平行になる。リッド２０２は、閉位置から開位置に回動し、アーム２０
１の第２端部は、ピアノリッド２０２の下側を移動し、ピアノリッド２０２の以前の閉位置とピアノリッド２０２の開位置との間の角度は、約３０°から約４０°の範囲に増加する。
【００３０】
調整式回動コネクタ２０５は、アーム２０１の両側に、式Ｗ（Ｘ・Ｆ）/Ｌ（Ｗ＝持ち
上げ重量、Ｘ＝回動点２１９の中央から回動点２１５の中央までの距離、Ｌ＝ホイール２
１６から回動点２１５までの距離、Ｆ＝空気圧シリンダ２０７と２０７ａがリッド２０２
の重量を持ち上げるために必要とする力）によって定められた距離にて着脱式に取り付け
られる。
【００３１】
ボルト２２０は、回動コネクタ２０５を調整するようにスロット２１７内をスライドで
きる。空気圧シリンダ２０７と２０７ａのピストンアーム２０６は、調整式回動コネクタ
２０５に回動点２１９にて着脱式に取り付けできる。空気圧シリンダ２０７と２０７ａの
下方部２０８は、ブラケット２１３の領域Ａの両側に回動点２２４にて着脱式に取り付け
られている。
【００３２】
オプションで構造的支持を提供するために、脚部２２３をブラケット２１３の下方部２
１３に取り付けることができる。脚部２２３は、伝響板２１１内の穴部２１０を通って延
びており、ナット２２２ａと２２２ｂでブラケット２２１に着脱式に取り付けられている
。図示の実施例では、穴部２１０の直径は、約１/２インチ（約１．３ｃｍ）である。ブ
ラケット２２１は、ボルトでピアノ１００の後方フレーム２０４の下方部２０９に取り付
けられている。
【００３３】
図示の実施例では、空気圧シリンダ２０７は、約５０ニュートンから約１３００ニュー
トンの力を発揮する。図示の実施例では、空気圧シリンダ２０７は７．５インチ（約１９
ｃｍ）の延伸長、１インチ（約２．５ｃｍ）の直径、３/８インチ（約１ｃｍ）のシリン
ダロッド、および２インチ（約５．１ｃｍ）のストロークを有しており、１０００ニュー
トンの力を発揮する。図示のシリンダは、www.easyliftsprings.comで紹介されている。
【００３４】
図４、図５および図６に示す第３実施例、すなわちリッド支持部３０００は、ピアノリ
ッド３０２の重量を支持するための機構であり、ピアノ１００のリッド３０２の下側に取
り付けられたアーム３０１を有する。アーム３０１の第１端部３１６は、陥没開口部３１
７を有する。アーム３０１は、約４０インチ（約１０２ｃｍ）長、約１インチ（約２．５
ｃｍ）幅および約１インチ（約２．５ｃｍ）高である。あるいはアーム３０１は、リッド
３０２の重心まで延びる。図示の実施例では、アーム３０１は、１６ゲージの軟鋼である
。１６ゲージの軟鋼製のものを例示しているが、例えば金属、プラスチックおよびセラミ
ック等を含んだ類似する強度や剛性の任意の材料が利用でき、これらに限られない。
【００３５】
調整式回動コネクタ３０５は、アーム３０１の両側に、式Ｗ（Ｘ・Ｆ）/Ｌ（Ｗ＝持ち
上げ重量、Ｘ＝回動点３１９中央からピン３１５中央までの距離、Ｌ＝アーム３０１から
ピン３１５までの距離、Ｆ＝空気圧シリンダ３０７がリッド３０２の重量を持ち上げるた
めに必要とする力）によって定められた距離にて着脱式に取り付けられている。ボルト３
２０は、回動コネクタ３０５を調整するようにスロット３１７内をスライドできる。
【００３６】
空気圧シリンダ３０７のピストンアーム３０６は、回動点３１９にて調整式回動コネク
タ３０５に取り付けられている。ブラケット３１３の上方部３１８は、ピアノ１００の後
方フレーム３０４の上方部に取り付けられている。ガイドカップ３２１は、ブラケット３
１３の領域Ｄに取り付けられている。領域Ｄは、ブラケット３１３の前面部からブラケッ
ト３１３の全深さの約１/３の距離である。
【００３７】
ガイドカップ３２５は、円錐形である。ガイドカップ３２５のベース部Ｅは、空気圧シ
リンダ３０７のピストンアーム３２２をちょうど受け入れる大きさである。リッド３０２
が閉められているとき、重力がピストンアーム３２２をガイドカップ３２１へと引っ張る
であろう。ガイドカップ３２５の円錐形状が空気圧シリンダ３０７のピストンアーム３２
２をガイドカップ３２５のベース部Ｅに留めるであろう。
【００３８】
図示の実施例では、ブラケット３１３は、１インチ×１インチの角管で、１６ゲージの
軟鋼製である。１インチ×１インチの角管、１６ゲージの軟鋼製のものを例示しているが
、例えば金属、プラスチックおよびセラミック等を含んだ類似する強度や剛性の任意の材
料が利用でき、これらに限られない。図示の実施例では、空気圧シリンダ３０７は、約５
０ニュートンから約１３００ニュートンの力を発揮するものでよい。
【００３９】
図示の実施例では、シリンダは、７．５インチ（約１９ｃｍ）の延伸長、１インチ（約
２．５ｃｍ）の直径、３/８インチ（約１ｃｍ）のシリンダロッドおよび２インチ（約５
．１ｃｍ）のストロークを有し、１０００ニュートンの力を発揮する。図示されたシリン
ダは、www.easyliftsprings.comで紹介されている。
【００４０】
ブラケット３１３の上方部３１８とアーム３０１の陥没開口部３１７との相互作用は、
ピアノ１００の後方フレーム３０４にリッド３０２を取り付けるためのヒンジとして作用
する。ピン３１５が陥没開口部３１７に挿入され、創出されたヒンジのジョイントとして
作用する。ピン３１５の内部３３３は、その周囲の一部が欠けている。
【００４１】
図示の実施例では、ピン３１５は、長さ約２．５インチ（約６．４ｃｍ）である。ピン
３１５の内部３３３の周囲の欠落部は、陥没開口部３１７のサイズと合わせてある。アー
ム３０１の陥没開口部３１７は、ピン３１５の周囲の１８０°を超えている。このように
リッド３０２は、ピアノ１００からリッド３０２を外すためには、９０°以上持ち上げら
れなければならない（図６の９０°と示された点線９０）。リッド３０２が約９０°以上
持ち上げられると、ピン３１５の内部３３３周囲の欠落部がリッド３０２をピアノ１００
から完全に外させる。
【００４２】
オプションで構造的支持を提供するために脚部３２３をブラケット３１３の下方部に取
り付けることができる。脚部３２３は、伝響板２１１の穴部３１０を通って延びており、
ナット２２２ａと２２２ｂでブラケット３２１に着脱式に取り付けられている。穴部３１
０の直径は、約１/２インチ（約１．３ｃｍ）である。ブラケット３２１は、ボルト３２
４を使用してピアノ１００の後方フレーム３０４の下方部３０９に取り付けられている。
【００４３】
図示の第３実施例３０００は、図４、図５および図６に例示したものの鏡像であり、ピ
アノの反対側にアーム構造部を有している。
【００４４】
図４は、開位置にあるリッド３０２を示している。
【００４５】
図５は、開位置から持ち上げられた状態のリッド３０２を示している。
【００４６】
図６は、ピアノから完全に外された状態のリッド３０２を示している。
【００４７】
図７と図８に示すように、第４実施例のリッド支持部４０００は、ピアノリッド４０２
の重量を支持するための機構であり、ピアノ１００の後方フレーム上方に配置された取付
ブラケット４１３を有する。
【００４８】
図示の実施例では、ブラケット４１３は、１６ゲージの軟鋼シートメタル製である。１
６ゲージの軟鋼シートメタル製のものを例示しているが、例えば金属、プラスチックおよ
びセラミック等を含んだ類似の強度および剛性の任意の材料が利用でき、これらに限らな
い。取付ブラケット４１３の内面は、ピアノ表面の引っ掻き傷を防止するようにフェルト
で被覆されている。フェルトが好適材料であるが、引っ掻き傷を防止できるであろう任意
の材料が利用できる。取付ブラケット４１３は、その前面４１５の略中央に陥没部４１４
を有する。取付ブラケット４１３は、穴部（図示せず）を陥没部４１４の両側部に有する
。コネクタ４２８ａは、取付ブラケット４１３の前面４１５に対して略直角に延びている
。コネクタ４２８ａは、スロット４２９ａを含んでいる。鏡像のコネクタが取付ブラケッ
ト４１３の他側部から延びているが図示していない。取付ブラケット４１３の上部は、ピ
アノ１００の後方フレーム４０４にリッド４０２を連結しているヒンジと略同一平面にあ
る。リッド４０２をピアノ１００の後方フレーム４０４に連結しているヒンジのジョイン
トは、取付ブラケット４１３の前面４１５の反対側で後方フレーム１４０４に配置されて
いる。
【００４９】
図示の実施例では、取付ブラケット４１３は、長さ約１０インチ（約２５．４ｃｍ）、
高さ約１．２５インチ（約３．２ｃｍ）および幅約１．５インチ（約３．８ｃｍ）から２
インチ（約５．１ｃｍ）である。図示の実施例では、取付ブラケット４１３の陥没部４１
４の長さは、約２．５インチ（約６．４ｃｍ）である。
【００５０】
取付ブラケット４１３には、ハウジング４１７が取り付けられている。図示の実施例で
は、ハウジング４１７は、１６ゲージの軟鋼シートメタル製である。１６ゲージの軟鋼シ
ートメタル製のものが例示されているが、例えば金属、プラスチックおよびセラミック等
を含んだ類似の強度および剛性の任意の材料が利用でき、これらに限られない。
【００５１】
ハウジング４１７の幅は、取付ブラケット４１３の陥没部の幅とおおよそ等しい。図示
の実施例では、ハウジング４１７は、長さ約４インチ（約１０．２cm）、高さ約５．５イ
ンチ（約１４ｃｍ）で幅約２．５インチ（約６．４ｃｍ）である。ハウジング４１７は、
延伸部４１８ａを有する。図示の実施例では、延伸部４１８ａは、０．７５インチ（約２
ｃｍ）幅である。延伸部４１８ａは、取付ブラケット４１３の前面４１５の後方に延び、
ネジ４１９ａによってそこに取り付けられている。
【００５２】
図示の実施例ではネジ４１９ａは、ソケットヘッドボルト５/１６インチ（約０．８ｃｍ
）‐１８インチ（約４６ｃｍ）×３/４インチ（約１．９ｃｍ）である。延伸部４１８ａ
の後面は、フェルトで被覆されている。フェルトが好適材料であるが、引っ掻き傷を防止
できる任意の材料が利用できる。ハウジング４１７は、その他面に鏡像の延伸部を有して
いるが、図示していない。ネジ４３０ａがさらにハウジング４１７を取付ブラケット４１
３に取り付けている。ネジ４３０ａは、スロット４２９ａ内をスライドできる。利用時に
ネジ４３０ａとスロット４２９ａとの相互作用により、ボルト４１９ａが締め付けられた
ときのコネクタ４２８ａとハウジング４１７の移動が防止される。
【００５３】
ブラケット４０６ａは、ボルト４１９ａが締め付けられたときにコネクタ４２８ａとハ
ウジング４１７が移動することも防止する。ネジ４３０ａ、スロット４２９ａおよびブラ
ケット４０６ａは、全部一緒に利用できる。あるいは、ユーザは、ネジ４３０ａとスロッ
ト４２９ａまたはブラケット４０６ａのいずれかを選択できる。ボルト４１９ａが締め付
けられたときにコネクタ４２８ａとハウジング４１７の移動を防止できるあらゆる方法が
利用できることは理解できよう。ハウジング４１７のベース部４１９は、領域Ｄにガイド
カップ４２１ａと４２１ｂを有する。領域Ｄは、約ハウジング４１７の前面部の約１/３
の距離である。ガイドカップ４２１ａと４２１ｂは円錐形である。
【００５４】
アーム４０１は、ピン４２０を介してハウジング４１７に取り付けられている。ピン４
２０は、アーム４０１の第１端部を横断してハウジング４１７に取り付けられている。図
示の実施例では、ピン４２０の直径は、約３/８インチ（約１ｃｍ）である。アーム４０
１の第２端部は、ホイール４１６ａを介してリッド４０２の下側を回転する。図７に例示
するように、同形状の第２ホイールは、ホイール４１６ａの真後ろに配置されている。ホ
イール４１６ａは、アーム４０２の第２端部の内部に取り付けられている。アーム４０１
は、リッド４０２が閉位置にあるときにリッド４０２の下側に略平行である。リッド４０
２が閉位置から開位置に回動すると、アーム４０１の第２端部は、ピアノリッド４０２を
横断し、アーム４０１とピアノリッド４０２との間の角度は、約３０°から４０°の範囲
に増加する。アーム４０１は、長さ約４０インチ（約１０２ｃｍ）、幅約１インチ（約２
．５ｃｍ）および高さ約１インチ（約２．５ｃｍ）である。図示の実施例では、アーム４
０１は、１６ゲージの軟鋼製である。あるいは、アーム４０１は、リッド４０２の重心ま
で延びる。図示の実施例ではホイール４１６ａは、直径約１５ミリでナイロン製である。
ナイロン製のホイールを例示しているが、類似の強度および剛性である任意の材料で製造
されたホイールが利用できる。ホイール４１６ａは、アーム４０１の第２端部から約１ミ
リから２ミリ突き出ており、リッド４０２と接触している。リッド４０２は、閉位置から開位置に回動し、アーム４０１の第２端部は、ピアノリッド４０２の下側を移動し、ピアノリッド４０２の以前の閉位置とピアノリッド４０２の開位置との間の角度は、約３０°から約４０°の範囲に増加する。
【００５５】
ブラケット４２３は、アーム４０１の下側に着脱式に取り付けられている。ピン４２４
は、ブラケット４２３に取り付けられている。空気圧シリンダ４０７ａと４０７ｂは、ア
イレット４２５ａと４２５ｂを介してピン４２４の両側部に取り付けられている。図示の
実施例では、ピン４２４とアイレット４２５ａと４２５ｂは、それぞれ約３/８インチ（
約１ｃｍ）の直径を有する。アーム４０１上のブラケット４２３の位置は、式Ｗ＝（Ｘ・
Ｆ）/Ｌ（Ｗ＝持ち上げ重量、Ｘ＝ピン４２４中央ピン４２０中央までの距離、Ｌ＝ホイ
ール４１６ａと４１６ｂからピン４２０までの距離、Ｆ＝空気圧シリンダ４０７ａと４０
７ｂがリッド４０２の重量を持ち上げるために必要とする力）によって定められている。
【００５６】
ガイドカップ４２１ａと４２１ｂのベース部Ｅは、空気圧シリンダ４０７ａと４０７ｂ
のピストンアーム４２２ａと４２２ｂをちょうど受け入れる大きさである。リッド４０２
が閉状態であるとき、重力がピストンアーム４２２ａと４２２ｂをガイドカップ４２１ａ
と４２１ｂ内に引っ張る。ガイドカップ４２１ａと４２１ｂの円錐形状が、空気圧シリン
ダ４０７ａと４０７ｂのピストンアーム４２２ａと４２２ｂをガイドカップ４２１ａと４
２１ｂのベース部Ｅ内に留める。
【００５７】
空気圧シリンダ４０７は、約５０ニュートンから約１３００ニュートンの力を発揮する
。好適実施態様では、シリンダ１０７は、７．５インチ（約１９ｃｍ）の延伸長、１イン
チ（約２．５ｃｍ）の直径、３/８インチ（約１ｃｍ）のシリンダロッド、２インチ（約
５．１ｃｍ）のストロークを有し、１０００ニュートンの力を発揮する。好適なシリンダ
は、www.easyliftsprings.comで紹介されている。
【００５８】
利用時、取付ブラケット４１３は、存在しているヒンジ間の選択された点にてピアノ１
００の後方フレーム上に配置されている。ネジ４１９ａと４１９ｂは、リッド支持部４０
００をピアノ１００に締め付けるために使用されている。よってピアノリッド４０２を容
易に開閉することができる。さらにピアノリッド４０２を開状態と閉状態の間の任意の位
置で留めることができる。
【００５９】
多くの例示的特徴と実施態様について説明したが、専門家であればこれらのある程度の
変形、置換、追加およびサブコンビネーションについて理解できるであろう。したがって
添付の「請求の範囲」は、これらの変形、置換、追加およびサブコンビネーションを本発
明の精神と範囲内に含んでいると解釈されるべきである。ここで説明した各装置の実施例
は、多くの均等物を有する。